(57)【要約】  本発明は、基部本体（１０）と、（変位）可動するように前記基部本体に取り付けられる摺動部（２０）とを有する体毛除去装置（１００）に関する。湿式シェービング用のブレードカートリッジのようなかみそりブレードを備えた少なくとも１つの湿式シェーバーユニット（４０）が、前記摺動部に取り付けられる。摺動部（２０）の可動性のおかげで、この湿式シェーバーユニット（４０）は、体毛除去装置が衝撃を受けたとき、例えば、床に落下したときに、損傷から保護される。摺動部（２０）の特定のターゲット位置は、作用する最小力を超えるとき、ロックが解除され、それによって摺動部の移動を解放するように、スリップクラッチで固定できる。
2010516416.tif 000002
【特許請求の範囲】
【請求項１】
ａ）電動式体毛除去装置ユニットが固定された基部本体（１０）と、
ｂ）前記基部本体に移動可能に取り付けられた摺動部（２０）であって、少なくとも１つのかみそりブレードを有する湿式シェーバーユニット（４０）が取り付けられる、又は、前記湿式シェーバーユニットが機械的に接続される摺動部（２０）と、を備えた体毛除去装置（１００）。
【請求項２】
前記湿式シェーバーユニット（４０）が、交換可能なブレードカートリッジを有することを特徴とする、請求項１に記載の体毛除去装置（１００）。
【請求項３】
前記基部本体（１０）が、前記体毛除去装置（１００）の総重量の大半を構成していることを特徴とする、請求項１又は２に記載の体毛除去装置（１００）。
【請求項４】
前記基部本体（１０）が、電動モータ及び／又は電池及び／又はフォイルシェーバー及び／又はロングヘアトリマー（１１）を有することを特徴とする、請求項１〜３の少なくとも一項に記載の体毛除去装置（１００）。
【請求項５】
前記基部本体（１０）が、前記摺動部（２０）の少なくとも１つの位置において、前記湿式シェーバーユニット（４０）、具体的にはその使用側を少なくとも部分的に隠すことを特徴とする、請求項１〜４の少なくとも一項に記載の体毛除去装置（１００）。
【請求項６】
前記基部本体（１０）及び前記摺動部（２０）に留め金要素（１３、２４）が設けられ、前記留め金要素（１３、２４）が前記摺動部（２０）の少なくとも１つのターゲット位置で係合し、それによって、前記基部本体（１０）に対して前記摺動部（２０）が前記ターゲット位置で固定されることを特徴とする、請求項１〜５の少なくとも一項に記載の体毛除去装置（１００）。
【請求項７】
所定の解放力を超える力が前記摺動部（２０）に対して移動方向（Ｓ）に作用する場合に、前記留め金要素（１３、２４）が解放されることを特徴とする、請求項６に記載の体毛除去装置（１００）。
【請求項８】
前記留め金要素が、摺動表面（１４）に設けられた少なくとも１つの凹部（１３）と、前記摺動表面を弾性的に押圧すると共に前記凹部に係合する少なくとも１つの留め金フック（２４）とを含むことを特徴とする、請求項６及び７の少なくとも一項に記載の体毛除去装置（１００）。
【請求項９】
前記凹部（１３）が、所定の角度（α）で傾斜し、前記留め金フック（２４）を摺動させる先細表面（１３ａ）を有することを特徴とする、請求項８に記載の体毛除去装置（１００）。
【請求項１０】
２つの前記留め金フック（２４）が、前記基部本体（１０）を部分的に囲むように伸びるＵ字型のバネ要素（２３）の末端部に配置されていることを特徴とする、請求項８及び９の少なくとも一項に記載の体毛除去装置（１００）。
【請求項１１】
前記湿式シェーバーユニット（４０）を前記基部本体（１０）に対して取り外し可能に接続する連結具が設けられ、少なくとも１つの所定の作用方向に対して連結具を緩めるのに必要な力及び／又はエネルギーが、最小力及び／又は最小エネルギーを超えることを特徴とする、請求項１〜１０の少なくとも一項に記載の体毛除去装置（１００）。
【発明の詳細な説明】
【技術分野】
【０００１】
本発明は、特に交換可能なブレードカートリッジを含むかみそりブレードを有する少なくとも１つの湿式シェーバーユニットを有する体毛除去装置に関する。
【背景技術】
【０００２】
かみそりブレードを保持するためのブレードカートリッジは、具体的には湿式シェーバーが知られている。例えばシェーバーが床に落下したときに、このようなブレードカートリッジが損傷を受けると、ブレードが外れ、その結果、怪我をする危険が高くなることにつながる場合がある。
【発明の概要】
【発明が解決しようとする課題】
【０００３】
このような背景の下、本発明の目的は、上記のような湿式シェーバーユニットを有する取り扱いが安全な体毛除去装置を提供することであった。
【課題を解決するための手段】
【０００４】
この目的は、請求項１に記載の特徴を有する体毛除去装置によって達成される。有益な実施形体は、従属の請求項に含まれている。
【０００５】
本発明の体毛除去装置は、具体的には、電動式の体毛除去ユニットを備えてよく、この場合には、体毛除去装置は、電動式のシェーバー又はヘアクリッパーと湿式シェーバーユニットとを兼ね備えるデバイスである。一般に、湿式シェーバーユニットは、手動、電動（特に電池によるもの）の両方で操作されてよい。つまり、ブレードが電動で振動する湿式シェーバーユニットであってよい。
【０００６】
この体毛除去装置は、以下の構成要素を備える。
ａ）典型的には体毛除去装置の総重量の大半、すなわち５０％超、好ましくは総重量の８０％超を構成している「基部本体」。具体的観点では、この基部本体は、特に電動モータ及び／又は電池及び／又はフォイルシェーバー及び／又はロングヘアクリッパーを有してよく、これらは、比較的重いパーツであり、その重量を特定の最小値より軽くするのは難しい。
ｂ）基部本体に移動可能に取り付けられた摺動部であって、その上に、湿式シェーバーユニットが取り付けられる、又は湿式シェーバーユニットを取り付けることができる摺動部。体毛除去装置が床に落下した場合、このような湿式シェーバーユニットは、衝撃力、すなわち衝撃エネルギーによって損傷を受けることがある。体毛除去装置が、例えば床への落下により衝撃を受けたとき、この湿式シェーバーユニットは、摺動部の可動性のために損傷から保護される。
【０００７】
湿式シェーバーユニットは、湿式シェーバー用のかみそりブレードを１つ以上保持する交換可能なブレードカートリッジを特に含んでよい。シェーブ用のブレードカートリッジは、一方では、露出されるように配置しなければならず、他方では、衝撃による損傷のリスクが高いため、可能な限り小さくなければならない。実証的研究により、このようなブレードカートリッジへの損傷は、加速された範囲、又は更には恒常的に、１．５〜２．２Ｊの落下エネルギー（１．５メートルの高さから、約１００〜１５０グラムの重量の体毛除去装置が落下することに相当する）で発生することが明らかになっている。損傷は、加速された範囲で、前記よりも低い落下エネルギーでも発生することもあるため、臨界落下エネルギーの明確な極限を得るのは不可能に近い。特に、臨界落下エネルギーも本質的に、湿式シェーバーユニットの厳密な実施形態に左右される。しかしながら、体毛除去装置が前記よりも高い位置から落下することによって、又は、体毛除去装置が放り出されるときに（ユーザーが滑って転んで、体毛除去装置が床に放り出されるときに）発生することのある損傷を防ぐために、本発明は、軽量な体毛除去装置（単純な湿式シェーバーなど）と共に用いてもよい。
【０００８】
基部本体上の摺動部の可動式支持体は特に、基部本体に対して実質的に直線又は湾曲の経路に沿って摺動部を動かすことのできる変位可動式（並進式）支持体を含んでよい。特に、体毛除去装置が床に落下したときに、少なくとも１つの作用方向で摺動部に作用する衝撃力、すなわち、衝撃エネルギーによって、摺動部が、露出位置から、基部本体によって隠される位置まで引っ込んでから、衝撃エネルギーが、主に基部本体によって吸収され、湿式シェーバーユニットが損傷を受けないままになるように、摺動部に配置された湿式シェーバーユニットを有する摺動部を具現化してよい。摺動部を露出位置から動かすためには、作用力は、摺動部が露出位置から隠し位置まで移動する方向の要素を有さなければならない。特に、ユーザーが湿式シェーバーユニットを、摺動部の移動方向で、自分の顔に押し付ける典型的な接触力で、湿式シェーバーユニットによって体毛を除去しても、摺動部が引っ込まないように設計することによって、摺動部を引っ込ませるのに費やされる力を調節してよい。
【０００９】
本明細書に記載の体毛除去装置は、可動式の摺動部上に配置されているため、体毛除去装置に接続された湿式シェーバーユニット、例えばブレードカートリッジを損傷から守るという利点を有する。例えば、体毛除去装置が床に落下したときに、湿式シェーバーユニットに力が作用する場合、これらの力は、摺動部と基部本体との間の相対移動を引き起こすことができる。この相対移動は衝撃エネルギーの一部を吸収して、衝撃エネルギーが転換されて湿式シェーバーユニットを破壊しないようにする。更に、相対移動は、運動エネルギーが基部本体から湿式シェーバーユニットに伝わるのを防ぐ（運動エネルギーが湿式シェーバーユニットに伝わると、損傷につながることがある）。この態様は、基部本体が、摺動部及び湿式シェーバーユニットに比べて大きい重量を有するとき、特に重要である。
【００１０】
体毛除去装置の好ましい実施形態によれば、基部本体は、摺動部の少なくとも１つの位置において、摺動部に取り付けられた湿式シェーバーユニットを全体的又は部分的に被覆する。その結果、摺動部のこの位置において、基部本体の設計に起因して、湿式シェーバーユニットを被覆方向からの衝撃から守る。特に、湿式シェーバーユニットの使用側、すなわち、湿式シェーバー用のかみそりブレードが露出される側も被覆位置において被覆されるため、ユーザーは、ブレードが皮膚を傷つける不安を感じることなく、体毛除去装置を使用することができる。
【００１１】
基部本体に対して、摺動部の少なくとも１つのターゲット位置で係合する留め金要素を、好ましくは摺動部及び基部本体に提供し、それによって、摺動部が前記ターゲット位置で固定される。典型的には、この方法で安定化されるターゲット位置は、少なくとも２つ存在する（この２つの位置は、始動位置及び先端位置であり、始動位置は、湿式シェーバーユニットが隠される際の末端位置であってよく、先端位置は、湿式シェービングでの利用のために湿式シェーバーユニットが露出されるように湿式シェーバーユニットが配置される位置であってよい）。ターゲット位置で装置を固定すると、摺動部が、実質的に自由に滑走する（摩擦力によってのみ減速する）のみならず、安定した形で特定の使用位置を呈することもできるという結果が得られる。例えば、摺動部に取り付けられたブレードカートリッジは、露出位置で固定してもよく、この位置では、ブレードカートリッジを湿式シェーブに利用できる。これに加えて、摺動部は、湿式シェーバーユニットを移動可能に基部本体上で支える役割を有するのみならず、特に体毛除去装置の電気部品のスイッチ操作のような機能も呈してよい。つまり、安定化されたターゲット位置は、例えば、「オフ」、「ロングヘアクリッパー・オン」、「あごひげトリマー・オン」などのスイッチ状態に相当してよい。
【００１２】
上記の代表的な実施形態では、摺動部は好ましくは、プッシュボタンのような操作要素を有し、その操作要素によって、想定されるターゲット位置から摺動部が離れようとするときに、ユーザーが留め金要素を、目標の様式で解放する（離す）ことができる。
【００１３】
留め金要素を備える体毛除去装置の更なる実施形態によれば、露出位置（換言すれば、湿式シェーバーユニットが、摺動部の移動方向に基部本体を越えて突き出る位置）にあるときに、所定の最小力（解放力）を超える、又はこれと等しい力が摺動部に対して移動方向に作用する場合に、留め金要素は外れてよく、故に前記最小力は、ユーザーが使用中に湿式シェーバーユニットを自分の肌に押し付ける力を超えるように選択してよい。つまり、体毛除去装置が床に落下したときに、力が湿式シェーバーユニット及び摺動部に作用すると（摺動部が露出位置から隠し位置まで移動する方向のこれらの力の成分は、解放力を超えている）、留め金要素が開き（留め金要素を事前に、摺動部のターゲット位置で係合した場合）、続いて、摺動部の移動を可能にする。解放をもたらす力によって、湿式シェーバーユニットの破損を招いてはならないが、典型的には、この力は、破損させるのに要する最小力を下回るように選択される（この最小力は具体的には、所定の体毛除去装置に関する実証的研究及び／又はＦＥＭ調査によって定めてよい）。したがって、摺動部のターゲット位置での固定は、摺動部が、固定時でも湿式シェーバーユニットに対して所望の保護作用を発揮できるように、十分にゆるく設計してよい。解放力は、典型的には２Ｎ〜２０Ｎの範囲であり、特には５Ｎ〜１５Ｎ、具体的には１０Ｎ超である。体毛除去装置の使用時に（例えば、湿式シェーバーユニットとしてのブレードカートリッジで湿式シェービングをしているときに）発生する典型的な力は、１０Ｎ未満の範囲（例えば２Ｎ）であるため、このケースでは、体毛除去装置の通常の使用中、摺動部のターゲット位置は十分に安定化される。
【００１４】
留め金要素の具体的な実施形態に関しては、様々な可能性が存在する。好ましい代表的な実施形態によれば、留め金要素は、摺動表面内の少なくとも１つの凹部と、少なくとも１つの留め金フックとを含み、この留め金フックは、弾性的に摺動表面上を押迫し、前記凹部に係合することができる。凹部を備える摺動表面は典型的に基部本体上に形成される一方で、留め金フックは摺動部に接続される。しかし、当然のことながら、逆の配置も可能である。基部本体と摺動部との間の相対移動によって、留め金フックは摺動表面に沿って動き、その際、留め金フックは（軽い）圧力を摺動表面上に加える。留め金フックは、摺動表面内の凹部の位置に達すると、凹部に係合し、留め金フックに加わる圧力に屈する。凹部から外すには、留め金フックの弾性圧縮力を超えなければならないため、凹部からの離脱は、追加的に力を加えることによってのみ可能である。この方法では、凹部内で想定される、基部本体と摺動部との間の相対位置は、安定化、すなわち固定される。
【００１５】
極端なケースでは、留め金フックは、摺動部に対して移動方向に作用する単純な力によっては、破損なしには留め金フックが凹部から離脱できない（ただし、この代わりに、例えばユーザーによる方向付け操作が必要とされる）ように、上記の摺動表面内の凹部で係合してよい。湿式シェーバーユニットを所望どおりに保護するために、すでに説明したように、特定の解放力を超えたときに、想定されるターゲット位置が再び解放される場合には、これは有益である。このような効果を実現させるためには、凹部は好ましくは、留め金フックが摺動できる摺動表面に対して（すなわち、摺動部の移動方向に対して）所定の角度α傾斜した少なくとも１つの先細表面を備える。留め金フックは好ましくは、相補的な形及び／又は傾斜を有すると共に先細表面で摺動する接触表面を有する。その結果、摺動部の移動方向で作用する力は、傾斜角αに従って先細表面と平行に作用する分力に転換される。この分力が十分に大きい（留め金フック上の圧縮力を超える）場合、留め金フックは、凹部から離脱して、摺動部の更なる移動を解放する。先細表面の傾斜角と留め金フックの圧縮力とにより、留め金要素の開放を引き起こす解放力は、目標の様式で調節してよい。
【００１６】
凹部及び留め金フックとしての留め金要素の実施形態では、好ましくは、２つの留め金フックをＵ字型のバネ要素の末端部に提供し、このバネ要素は、基部本体を部分的に囲むように伸びていてよい。対称的に作用する力は、この方法で実現され、バネ要素を、程度の差はあるがしっかりと基部本体上に留めることができる。この状況においては、好ましい実施形態は、摺動部がＵ字型断面を有し（摺動方向に対して直角に見た場合）、末端摺動ガイドを備えるものである。その結果、摺動部も、対称的に作用する力によって、ほぼしっかりと基部本体に固定することができる。
【００１７】
本発明の別の改良形態によれば、体毛除去装置は、湿式シェーバーユニットを（直接又は間接的に）基部本体に解放可能に接続させる連結部を有し、その連結部を少なくとも１つの所定の作用方向に対して解放するのに必要な力及び／又はエネルギーが、所定の最小力及び／又は最小エネルギーを超えるようになっている。連結具は、（破壊的な大きさに満たない）特定の力／エネルギーを超えると、体毛除去装置から簡単に分離するため、もはや運動エネルギーの破壊エネルギーへの転換に関与しないので、連結具の助けにより、湿式シェーバーの損傷からの補足的な保護が実現される。
【図面の簡単な説明】
【００１８】
本発明は、下記の図を参照しながら、体毛除去装置の代表的な実施形態に基づき、以下で更に詳しく説明されている。
【図１ａ】摺動部が静止位置にある、本発明の体毛除去装置。
【図１ｂ】摺動部が第１のスイッチ段階にある、本発明の体毛除去装置。
【図１ｃ】摺動部が別のスイッチ段階にある、本発明の体毛除去装置。
【図２】摺動部が取り付けられた状態で軸方向に切開した、基部本体のトップシェルの側面図。
【図３】体毛除去装置のトップシェル、摺動部、及び固定デバイスの分解図。
【図４】トップシェルに配置されたバネ要素の拡大斜視図。
【図５】図４のバネ要素を留め金フックの領域で切断したもので、留め金フックがシェル上で凹部に係合しているバネ要素を、図４を別の方向から見た図。
【図６】バネ要素が取り付けられたトップシェルの横断面図。
【発明を実施するための形態】
【００１９】
図１は、ロングヘアクリッパーと湿式シェーバーとの組み合わせを備える代表的な体毛除去装置１００の斜視図を示しており、前記組み合わせは、以下の構成要素を含む。
−ヘッド末端部にロングヘアクリッパー１１が取り付けられた基部本体１０であって、電動モータと典型的には電池（図示せず）も有する基部本体１０。
−基部本体１０上で移動方向Ｓに変位可動可能に取り付けられる摺動本体２１と、所定のターゲット位置で係合することによって摺動部２０を固定する手動解放ボタン２２とを備える摺動部２０。基部本体１０と摺動部２０は合わさって、体毛除去装置１００の「メインユニット」を形成する。
−湿式シェーバー用の１つ以上の平行なブレードが固定して取り付けられるブレードカートリッジの形状の湿式シェーバーユニット４０。ブレードカートリッジ４０は、中間要素３０によって、間接的に摺動部２０に接続されている。
【００２０】
図１に示されている体毛除去装置１００は、電気シェーバー及び／又は電気ヘアトリマーの手段と、湿式シェーバー用の手段とを兼ね備える。このようなデバイスの設計における１つの問題は、典型的には約１．５メートルの高さから落下することによって被ることのある損傷から湿式シェーバーユニット４０を保護しなければならないことである。この点においては、直接目には見えないが、湿式シェーバーユニット４０を継続して使用した際に、例えば突き出たブレードが原因で怪我につながることのある損傷は、特に重大であろう。
【００２１】
図１に示されている体毛除去装置１００では、湿式シェーバーユニットの重量がモータ及び電池の重量と合わせて約１００〜１５０グラムに達することがあるため、湿式シェーバーユニットに損傷が発生するだろう。実証的研究によって示されているように、前記重量に達する場合、１．５メートルの高さから落下すると、頻繁に又は通常的に、ブレードカートリッジの損傷につながると思われる。この理由から、湿式シェーバーユニット４０（具体的にはブレードカートリッジ）を、床への落下時の損傷から保護するために、以下で更に詳しく説明されている手段を提案する。
【００２２】
湿式シェーバーユニット４０用の重要な第１の安全機構は、湿式シェーバーユニット４０を摺動部２０に取り付けることによって実現され、この摺動部２０は、基部本体１０に対して、下方のターゲット位置（図１ａ）、中央のターゲット位置（図１ｂ）、及び上方の（露出）ターゲット位置（図１ｃ）につく場合があるが、中央の位置は、安全機能について、あまり大きな関与度を有さない。図１ａの下方のターゲット位置では、湿式シェーバーユニット４０は引っ込んでおり、それによって、落下した場合に、基部本体１０のロングヘアトリマー１１によって被覆された衝撃方向に対して保護される。具体的に言うと、使用側、すなわち、かみそりブレードが隠れずに露出される側が、基部本体によって被覆される。その結果、ユーザーは、湿式シェーバーユニット４０が皮膚を傷つける恐れがあるという不安を感じる必要なしに、ロングヘアトリマーを安全に使用できる。
【００２３】
図１ｂの中央のターゲット位置、及び図１ｃの上方のターゲット位置では、湿式シェーバーユニット４０は、露出される形で、基部本体１０から離れて突き出ている。湿式シェーバーユニット４０を湿式シェービングで使用できるようにするには、この状態は必須である。このターゲット位置では、湿式シェーバーユニット４０の保護は、摺動部２０が衝撃をもたらすことができると共に、図１ａの下方のほぼターゲット位置まで移動できること（摺動部は、いずれかの露出位置から中央の位置まで移動することもでき、この中央の位置は留め金要素によって安定化され、この中央の位置では、湿式シェーバーユニットは、衝撃エネルギーを吸収する必要はないが、その代わりに、衝撃を受けた場合、体毛除去装置の基部本体が衝撃エネルギーを吸収する）によって、実現される。しかしながら、図１に示されている実施形態では、通常使用時に発生する力（典型的には１０Ｎ未満、特には約１〜４Ｎ、具体的には２Ｎ）との関連で、図示されている上方及び中央のターゲット位置を、衝撃時に摺動部が引っ込むことによる所望の安全機能を喪失することなく、固定しなければならないということがここでは問題である。この関連で、摺動機構の具体的な実施態様について、図２〜６の助けを借りて、以下に更に詳しく記載する。これらの図は通常、体毛除去装置の片側のみを示しており、実質的に、中心軸平面に対して鏡像で設計されることをここで指摘しなければならない。
【００２４】
基部本体１０のうち、図２は、ボトムシェル（図示せず）に接続可能なトップシェル１２のみを示している。摺動本体２１（断面図で示されている）及び解放ボタン２２を備える摺動部２０は、トップシェル１２に取り付けられいるため、Ｓ方向に変位移動可能である。これに加えて、長手方向に伸びている摺動表面１４を備えるやや湾曲したガイドレールが、トップシェル１２の反対側に装備されており、相補的な（complimentary）摺動ウェブ（図示せず）を備えるＵ字型に湾曲した摺動本体２１は、摺動表面の下に達する。３つの凹部１３は、各摺動表面１４に備わっており、留め金フック２４が凹部１３に係合し、凹部１３によって画定される、摺動部２０のターゲット位置を安定化できるようになっている。
【００２５】
図３は、図２の構成要素を改めて分解図で示しており、
−３つの凹部１３が形成される摺動表面１４の１つと共に、トップシェル１２と、
−湿式シェーバーユニット４０を支える、解放可能な連結具によって湾曲したＵ字型摺動本体２１に取り付けられた中間要素３０を備えた、湾曲したＵ字型摺動本体２１と、
−解放ボタン２２の下のＵ字型バネ要素２３であって、バネ弾性金属でできており、その末端部に留め金フック２４が鏡像で形成されているＵ字型バネ要素２３（取り付け状態では、バネ要素２２は、解放ボタン２２に固定して留められる）を備えた解放ボタン２２と、
−取り付け状態では、下から、バネ要素２３のバネウェブ２５に押し付け、摺動部２０が所定のターゲット位置にあるときには、トップシェル１２の穴１５に係合するボールベアリング２６と、を示している。
【００２６】
図４、５、及び６は、トップシェル１２の摺動表面１４においてバネ要素２３が凹部１３に係合する詳細を様々な図で示している。これによれば、留め金フック２４は、バネ要素２３の末端部にある内向きの屈曲部として設計されており、その頂縁部２４ｂが、トップシェル１２の摺動表面１４の上で摺動する。バネ要素２３は、バネウェブ２５及びボール２６によって、トップシェル１２から解放されるように押圧され、それによって、摺動表面１４の上で、留め金フック２４の圧縮力を引き起こす。この圧縮力を受けて、留め金フック２４は、摺動部が軸位置に達すると、摺動表面１４の凹部１３の中に入ることができる。これによって、摺動部の更なる移動が初期に妨げられる。すなわち、凹部１３と留め金フック２４は、摺動部２０の特定のターゲット位置と協働し、その位置に固定する留め金要素を構成する。
【００２７】
本明細書に記載の留め金の接続解除は、ユーザーによって解放ボタン２２に圧力を加えることによって選択的に実現させてよく、この圧力は、バネ要素２３に伝わって、留め金フック２４を凹部１３から持ち上げる。
【００２８】
これに加えて、留め金の接続は、十分に大きい力Ｆが摺動部２０の移動方向Ｓに作用したときに、持ち上がる場合もある。この関連で、先細表面１３ａは、図５の凹部１３上で認識可能であり、先細表面１３ａは、所定の角度αを摺動表面１４に対して（すなわち、摺動部の移動方向Ｓに対して）形成し、この先細表面１３ａに沿って、留め金フック２４の接触面２４ａが摺動できる。角度αは、解放力Ｆ（これを上回ると解放が起こる）に応じて、０°〜９０°、好ましくは４５°〜９０°の（開）区間である。バネ要素２３のバネ力の典型的な次元、及び、角度α＝４５°では、（摺動方向Ｓにおける）解放力は約１５Ｎである。その一方で、シェービング時に発生する力は、約２Ｎの範囲であるため、体毛除去装置の通常使用時には、不慮の解放は起こり得ない。
【００２９】
つまり、要約すると、並進方向Ｓに作用するタイプのスリップクラッチを体毛除去装置１００に実装して、特定の解放力を超えたときに機能させて、それによって摺動部２０の移動を可能にする。解放ボタン２２は、必要に応じて解放ボタン２２を押し下げることによって、手動で摺動部２０を動かす働きをする。バネ要素２３に作用する圧縮力に基づき、バネ要素２３の側面に位置する留め金フック２４は、（ボタン操作なしに、）基部本体の凹部１３の中に自動的に押圧される。解放ボタン２２の操作がなくても摺動部２０を押し戻すことのできる解放力は、バネ力と共に、凹部１３の側面先細表面１３ａと留め金フック２４の接触表面２４ａの角度αによって、的を絞った様式で調節できる。具体的には摺動部への衝撃によって発生するこの力は、湿式シェーバーユニットが損傷を受ける前に摺動部が移動し始めるように（低く）選択される。その一方で、シェービング中に摺動部２０が意図に反して押し戻されることがないように、この力は、湿式シェービング時に発生する力を超えるように選択される。
【００３０】
凹部１３の縁部は、任意により、留め金フック２４と併せて設計して、（初めての）衝撃時に、留め金フック２４が、傾斜した先細表面を切断してトップシェル１２の材料にしてもよく、この切断部分沿いで、留め金フック２４は、凹部１３から離脱できる。例えば、これは、トップシェル１２が適当に軟質なプラスチックでできており、バネ要素２３が薄い板金でできている場合に可能である。
【００３１】
図１ｂの中央ターゲット位置及び図１ｃの最上ターゲット位置にあるブレードカートリッジ４０を、第２の安全機構に従って、衝撃時の損傷から守るために、湿式シェーバーユニット４０と摺動部２０及び／又は摺動本体２１との間に位置する中間要素３０も提供してよい。湿式シェーバーユニット４０は、特別な（標準化された）接続部によって、中間要素３０に比較的しっかり取り付けられる。湿式シェーバーユニット４０を交換するために、ユーザーは、プッシュボタンを操作して、接続機構を解放してよい（これについては、本明細書ではこれ以上説明しない）。
【００３２】
所望に応じて湿式シェーバーユニット４０を追加的に保護するには、摺動部２０と中間要素３０との間に設計された連結具が重要であり、その厚みは、湿式シェーバーユニット４０を損傷させる最小力及び／又は最小エネルギーを下回る力及び／又はエネルギーで開くようになっている（特定の好ましくない落下方向は、この保護効果の対象外である場合がある）。したがって、体毛除去装置１００が湿式シェーバーユニット４０にのしかかった場合、湿式シェーバーユニット４０を備える中間要素３０が摺動部２０から外れて、その結果、基部本体１０からも外れるため、基部本体１０の運動エネルギーが、ブレードカートリッジ４０の破損を招くことはできなくなる。連結具の解放力は、湿式シェーバーユニット４０に対する応力が損傷をもたらさない範囲内に留まる次元の力でなければならないが、その一方で、中間要素３０は、通常のシェービング中に、摺動部２０から不用意に外れない。
【００３３】
体毛除去装置１００の落下によって、湿式シェーバーユニット４０を備える中間要素３０が安全に外れた場合、ユーザーは単に、プッシュボタンのように中間要素３０を押して、摺動部２０に押し付ければいいだけである。
【００３４】
代表的な体毛除去装置１００の例について上記されている本発明は、他の体毛除去装置と共に、具体的には、スチールハンドル若しくは木製のアプリケーションを備える機械的な湿式シェーバーのような重いデバイスと共に、電池操作を有する湿式シェーバー内で、又は、電動式のシェーバー若しくはヘアトリマー及び湿式シェーバー（電池式の場合もある）を備える従来のデバイスと共に、同様の形で用いることもできる。
【図１ａ）】
2010516416.tif 000003
【図１ｂ）−１ｃ）】
2010516416.tif 000004
【図２】
2010516416.tif 000005
【図３】
2010516416.tif 000006
【図４】
2010516416.tif 000007
【図５】
2010516416.tif 000008
【図６】
2010516416.tif 000009
【国際調査報告】
2010516416.tif 000010
2010516416.tif 000011
2010516416.tif 000012
2010516416.tif 000013